(57)【要約】【課題】所定のモジュールを回路基板に安定した状態で取り付けることができる電子機器を提供すること。【解決手段】第１面７０ａ及び第２面７０ｂを有する回路基板７０と、所定のモジュール８０と、回路基板７０と所定のモジュール８０とを電気的に接続するフレキシブルプリント基板８３とを備え、所定のモジュール８０は、その外面に係合爪部８２ａを備え、フレキシブルプリント基板８３が回路基板７０における第１面７０ａ側に接続された状態において係合爪部８２ａが回路基板７０の端部における第２面７０ｂ側に係合されることにより、回路基板７０に取り付けられる。【選択図】図７
2009265185.tif 000002
【特許請求の範囲】
【請求項１】
第１面及び該第１面の反対面である第２面を有する回路基板と、
所定のモジュールと、
前記回路基板と前記所定のモジュールとを電気的に接続するフレキシブルプリント基板とを備え、
前記所定のモジュールは、その外面に係合爪部を備え、前記フレキシブルプリント基板が前記回路基板における前記第１面側に接続された状態において該係合爪部が該回路基板の端部における前記第２面側に係合されることにより、該回路基板に取り付けられる電子機器。
【請求項２】
前記係合爪部の突出方向と、前記所定のモジュールからの前記フレキシブルプリント基板が延びる方向とは略一致している請求項１に記載の電子機器。
【請求項３】
前記回路基板の前記第１面側には、前記フレキシブルプリント基板の接続端部が挿入されて接続されるコネクタが設けられており、該コネクタにおける該接続端部が挿入される挿入口は、前記回路基板に取り付けられた前記所定のモジュールから前記フレキシブルプリント基板が延びる方向に開口しており、
前記フレキシブルプリント基板の前記接続端部は、該フレキシブルプリント基板が折り返された状態で前記挿入口に挿入されている請求項２に記載の電子機器。
【請求項４】
前記所定のモジュールは、折り返された前記フレキシブルプリント基板に生じる付勢力により、前記回路基板の前記第２面側から前記第１面側に付勢された状態で前記回路基板に取り付けられる請求項３に記載の電子機器。
【請求項５】
前記所定のモジュールはカメラモジュールである請求項１から４のいずれかに記載の電子機器。
【請求項６】
前記所定のモジュールは、モジュール本体と、該モジュール本体を収容するホルダとを備え、
前記係合爪部は前記ホルダに設けられている請求項１から５のいずれかに記載の電子機器。
【発明の詳細な説明】
【技術分野】
【０００１】
本発明は、携帯電話機などの電子機器に関する。
【背景技術】
【０００２】
携帯電話機においては種々の機能を備え、その機能を実現するためのモジュールが搭載されている。例えば、携帯電話機においてはカメラ機能を備えることが一般的である。カメラ機能は、レンズや焦点調整機構を有するカメラモジュールによって実現される。カメラモジュールは、一般的に、カメラモジュール本体がカメラホルダに収容されて構成されると共に、回路基板にフレキシブルプリント基板（以下「ＦＰＣ」ともいう）を介して電気的に接続される。
【０００３】
カメラモジュールは、回路基板には固定されずに、フレキシブルプリント基板だけで回路基板に接続され、回路基板に対して移動可能（フリー）な状態とされている場合が多い。その理由は次の通りである。カメラモジュールは、一般的に、携帯電話機の完成状態において、筐体の内部に形成された凹状のカメラ収容部に収容される。ここで、回路基板は筐体にネジ止めなどにより移動不能に固定されると共に、カメラモジュールはカメラ収容部に実質的に移動不能に収容される。そのため、カメラモジュールが回路基板に対して移動不能に固定された状態で取り付けられていると、カメラモジュールをカメラ収容部に収容できない虞がある。
【０００４】
【特許文献１】特開２００７−６７７４４号公報
【発明の開示】
【発明が解決しようとする課題】
【０００５】
しかしながら、従来技術では、モジュールを回路基板に取り付ける際に安定した状態で取り付けることが困難であるという問題点を有している。例えば、前述した構成のカメラモジュールを筐体のカメラ収容部に収容する場合には、以下の不具合が生じる場合がある。具体的には、カメラモジュールは、ＦＰＣにより回路基板に移動可能な状態で接続されているだけであるので、カメラモジュールをカメラ収容部に収容する際に、カメラモジュールが安定せず、カメラホルダによりカメラモジュール本体やＦＰＣが傷付く虞があると共に、筐体のカメラ収容部へのカメラモジュールの組み込み性も劣る。
【０００６】
また、カメラホルダに対応する取り付け穴を回路基板に形成する等して、カメラモジュールを回路基板の適切な位置に固定することも考えられるが、取り付け穴を形成することによる回路基板の強度の低下が懸念される。
前述の問題点は、携帯電話機以外の電子機器においても、あるいはカメラモジュール以外のモジュールにおいても発生する場合がある。
【０００７】
従って、本発明は、所定のモジュールを回路基板に安定した状態で取り付けることができる電子機器を提供することを目的とする。
【課題を解決するための手段】
【０００８】
本発明は、第１面及び該第１面の反対面である第２面を有する回路基板と、所定のモジュールと、前記回路基板と前記所定のモジュールとを電気的に接続するフレキシブルプリント基板とを備え、前記所定のモジュールは、その外面に係合爪部を備え、前記フレキシブルプリント基板が前記回路基板における前記第１面側に接続された状態において該係合爪部が該回路基板の端部における前記第２面側に係合されることにより、該回路基板に取り付けられる電子機器に関する。
【０００９】
また、前記係合爪部の突出方向と、前記所定のモジュールからの前記フレキシブルプリント基板が延びる方向とは略一致していることが好ましい。
【００１０】
また、前記回路基板の前記第１面側には、前記フレキシブルプリント基板の接続端部が挿入されて接続されるコネクタが設けられており、該コネクタにおける該接続端部が挿入される挿入口は、前記回路基板に取り付けられた前記所定のモジュールから前記フレキシブルプリント基板が延びる方向に開口しており、前記フレキシブルプリント基板の前記接続端部は、該フレキシブルプリント基板が折り返された状態で前記挿入口に挿入されていることが好ましい。
【００１１】
また、前記所定のモジュールは、折り返された前記フレキシブルプリント基板に生じる付勢力により、前記回路基板の前記第２面側から前記第１面側に付勢された状態で前記回路基板に取り付けられることが好ましい。
【００１２】
また、前記所定のモジュールはカメラモジュールであることが好ましい。
【００１３】
また、前記所定のモジュールは、モジュール本体と、該モジュール本体を収容するホルダとを備え、前記係合爪部は前記ホルダに設けられていることが好ましい。
【発明の効果】
【００１４】
本発明によれば、所定のモジュールを回路基板に安定した状態で取り付けることができる。
【発明を実施するための最良の形態】
【００１５】
以下、本発明を実施するための最良の形態について、図面を参照しながら説明する。まず、本発明の電子機器の一実施形態である携帯電話機１の基本構造について、図１及び図２を参照しながら説明する。
図１は、本発明の一実施形態の携帯電話機１を開状態で示す斜視図である。図２は、図１に示す操作部側筐体２に内蔵される部材の分解斜視図である。
【００１６】
図１及び図２に示すように、第１実施形態の携帯電話機１は、操作部側筐体２と表示部側筐体３とを備える。操作部側筐体２と表示部側筐体３とは、ヒンジ機構を備える連結部４を介して、開閉軸Ｘを中心に開閉可能に連結される。具体的には、操作部側筐体２の上端部と表示部側筐体３の下端部とは、連結部４を介して連結される。これにより、携帯電話機１は、連結部４を介して連結された操作部側筐体２と表示部側筐体３とを相対的に動かすことが可能に構成される。
【００１７】
つまり、携帯電話機１は、操作部側筐体２と表示部側筐体３とが連結部４を介して開いた状態（開状態。図１参照）と、操作部側筐体２と表示部側筐体３とが連結部４を介して互いに重なり合う（折り畳まれた）状態（閉状態。図示せず）とに変更可能に構成されている。ここで、閉状態とは、両筐体２，３が互いに重なるように配置された状態であり、開状態とは、両筐体２，３が互いに重ならない、あるいは両筐体２，３の重なる程度が小さくなるように配置された状態である。
【００１８】
図１及び図２に示すように、操作部側筐体２の外面は、フロントケース２１及びリアケース２２により構成される。操作部側筐体２は、フロントケース２１側に、操作キー群１１と、携帯電話機１の使用者が通話時に発した音声が入力されるマイクとしての音声入力部１２とがそれぞれ露出するように構成される。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。
【００２０】
操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２１】
音声入力部１２は、操作部側筐体２の長手方向における連結部４側と反対の外端部側に配置される。つまり、音声入力部１２は、携帯電話機１の開状態において一方の外端部側に配置される。
【００２２】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２３】
表示部側筐体３におけるフロントケース３０ａには、各種情報を表示するためのメイン表示部３４ａと、通話の相手側の音声を出力するレシーバとしての音声出力部３１とが露出するように配置される。
【００２４】
次に、図２を参照しながら、操作部側筐体２の内部構造について説明する。
図２に示すように、フロントケース２１とリアケース２２とは、互いの凹状の内側面が向き合うように配置され、互いの外周縁が重なり合うようにして結合される。また、フロントケース２１とリアケース２２との間には、キー構造部４０と、キー基板５０と、シールドケース６０と、主回路基板（回路基板）７０とが挟まれるようにして内蔵される。
【００２５】
フロントケース２１には、携帯電話機１の閉状態において表示部側筐体３のメイン表示部３４ａと対向する内側面に、開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押下することで、対応するキースイッチ５１、５２、５３それぞれに設けられる後述のメタルドーム（椀状形状）の頂点が押圧され、スイッチ端子に接触して電気的に導通する。
【００２６】
キー基板５０は、複数の絶縁層（絶縁フィルム）の間に配線を挟み込んで形成されるフレキシブル基板である。キー基板５０は、キー構造部４０側に、キートップとしての機能設定操作キー１３、入力操作キー１４及び決定操作キー１５にそれぞれ対応して、複数のキースイッチ５１、５２、５３を備える。キースイッチ５１、５２、５３（後述）は、椀状に湾曲して立体的に形成された金属板のメタルドームを有する。メタルドームは、その椀状形状の頂点が押圧されると、キー基板５０の表面に印刷された電気回路（図示せず）に形成されるスイッチ端子に接触して、電気的に導通するように構成される。
【００２７】
キー構造部４０は、キー基板５０に積層配置され、複数のキースイッチ５１、５２、５３を押圧可能な押し子と、操作面を有するキートップとが、弾性を有するシリコンなどで構成されたシートに設けられて構成されている。
キー構造部４０は、シリコンゴム製の基体シートの表面に操作キー群１１のキートップが接着剤により貼り付けられて構成される。キー構造部４０における操作キー群１１を構成する機能設定操作キー１３、入力操作キー１４及び決定操作キー１５は、キー基板５０におけるキースイッチ５１、５２、５３と対向する位置に配置されると共に、フロントケース２１に形成されるキー孔１３ａ、１４ａ、１５ａから露出するように配置される。
【００２８】
シールドケース６０は、薄型の直方体における一の広い面が開口した形状を有する導電性の部材である。シールドケース６０は、キー基板５０の載置面となる平板部６１と、平板部６１における開口側の面に略垂直に形成されるリブ６２とを備える。リブ６２は、主回路基板７０に実装される各種電子部品のうち最も高い電子部品の高さと同等又はそれよりも十分に高くなるように形成される。リブ６２は、平板部６１の周縁及び内側に、主回路基板７０における基準電位部を構成する基準電位パターン層７５に対応するように形成される。具体的には、リブ６２は、シールドケース６０が主回路基板７０に載置された状態で、基準電位パターン層７５上に配置されるように形成される。
【００２９】
なお、シールドケース６０は、その全体を金属から構成することができる他、その骨格を樹脂から形成し、該骨格の表面に導体膜を形成して構成することもできる。
また、キー基板５０がシールドケース６０における平板部６１に載置されるので、キー構造部４０が押圧されることによる圧力や撓みは、シールドケース６０の下方に配置される主回路基板７０に伝達されにくい。
【００３０】
シールドケース６０は、リブ６２の底面が基準電位パターン層７５に当接されることで、基準電位パターン層７５と電気的に接続される。シールドケース６０は、基準電位パターン層７５と電気的に導通して基準電位パターン層７５と同じ大きさの電位を有するようになる。
【００３１】
シールドケース６０は、外部からの高周波等のノイズが主回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、シールドケース６０におけるリブ６２の底面が基準電位パターン層７５上に配置されることで、各回路は、リブ６２により囲われると共に平板部６１の一部により覆われる。リブ６２は、各回路における隔壁として機能し、平板部６１の一部と共に各回路をシールドする。
【００３２】
主回路基板７０には、非図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３３】
主回路基板７０におけるシールドケース６０側の第１面７０ａには、上述の各種電子部品の他、基準電位部を構成する基準電位パターン層７５が形成される。基準電位パターン層７５は、上述の各回路ブロックを区画するように形成される。基準電位パターン層７５は、主回路基板７０の第１面７０ａの表面に導電性の部材を所定パターンで印刷することで形成される。
【００３４】
リアケース２２の一端側には、取り外し可能なバッテリリッド２３が設けられている。バッテリリッド２３は、バッテリＱをリアケース２２の外側から収納した後、リアケース２２に装着される。また、リアケース２２における一端側には、ユーザの音声を入力する音声入力部１２のマイク（図示せず）が収容される。
【００３５】
次に、図３から図７を参照しながら、カメラモジュール本体８１がカメラホルダ８２に収容されて構成されるカメラモジュール８０と、主回路基板７０との取り付け構造などについて詳述する。
図３は、カメラモジュール８０が取り付けられた主回路基板７０を、第１面７０ａ側から視た部分斜視図である。図４は、第１面７０ａ側から視た主回路基板７０におけるコネクタ７１と、カメラモジュール８０とを、フレキシブルプリント基板（以下「ＦＰＣ」ともいう）８３を介して接続しようとする状態を示す斜視図である。
【００３６】
図５は、カメラモジュール８０が取り付けられた主回路基板７０を第２面７０ｂ側から視た部分斜視図である。図６（ａ）は、カメラモジュール８０について、フレキシブルプリント基板８３が折り返された状態で示す斜視図であり、図６（ｂ）は、カメラモジュール８０について、フレキシブルプリント基板８３が折り返されていない状態で示す斜視図である。図７は、図５に示すＡ−Ａ線断面図である。
【００３７】
図２に示すように、主回路基板７０は、操作部側筐体２の前面２ａ側（シールドケース６０側）の第１面７０ａと、第１面７０ａの反対面である第２面７０ｂとを有する。
図３から図７に示すように、縦長の主回路基板７０における一端部（連結部４側の端部）７０ｃには、カメラモジュール本体８１を収容したカメラホルダ８２が配設されるホルダ配置部７２が設けられる。ホルダ配置部７２は、主回路基板７０における一端部７０ｃがカメラホルダ８２の外形に対応する形状に凹んで形成される。
【００３８】
カメラモジュール本体８１は、カメラ機能を有するモジュールの本体部であり、例えば、鏡筒の内部にレンズが配置されてなるレンズ部、レンズ部を移動させて焦点を調整するレンズ部移動機構、レンズからの光が決像する撮像素子などを有して構成される。
カメラモジュール本体８１には、後述するカメラ用基板８４を介して、主回路基板７０とカメラモジュール本体８１とを電気的に接続するＦＰＣ８３が接続されている。
【００３９】
図６に示すように、カメラホルダ８２は、カメラモジュール本体８１を収容して保持する。このカメラモジュール本体８１をカメラホルダ８２に収容したものがカメラモジュール８０となる。カメラホルダ８２は、全体視で略直方体形状の外形を有している。カメラホルダ８２の内側には、略直方体形状の外形を略円柱形状にくり抜く形で、モジュール収容部８２ｂが形成されている。モジュール収容部８２ｂには、カメラモジュール本体８１が収容されて保持される。モジュール収容部８２ｂは、カメラホルダ８２が主回路基板７０に取り付けられた状態において操作部側筐体２の背面２ｂ側に開口している。
カメラホルダ８２の外面には係合爪部８２ａが設けられる。係合爪部８２ａは、カメラホルダ８２を主回路基板７０に取り付けた状態において、操作部側筐体２の上端部側（連結部４側）から操作部側筐体２の下端部側に向けて突出している。
【００４０】
カメラホルダ８２におけるモジュール収容部８２ｂの開口側とは反対側には、カメラ用基板８４が連結されている。カメラ用基板８４にはＦＰＣ８３が接続されている。カメラ用基板８４は、カメラモジュール本体８１を制御に係る回路などが搭載されており、また、ＦＰＣ８３を介してカメラモジュール本体８１と主回路基板７０とを電気的に接続する。
【００４１】
ＦＰＣ８３は、カメラモジュール本体８１と主回路基板７０とを電気的に接続する柔軟性を有する基板である。ＦＰＣ８３の一端部側はカメラ用基板８４に接続されており、ＦＰＣ８３の他端部側は、後述するコネクタ７１と接続される接続端部８３ａとなっている。
図６（ｂ）に示すように、ＦＰＣ８３は、巨視的に視て、カメラホルダ８２から、係合爪部８２ａの突出方向と略一致する方向に延びている。つまり、カメラホルダ８２の外面からの係合爪部８２ａの突出方向と、主回路基板７０に取り付けられたカメラホルダ８２からのＦＰＣ８３が延びる方向とは略一致している。また、ＦＰＣ８３は、係合爪部８２ａの突出方向と略一致する方向に延びてから、屈曲し、接続端部８３ａの近傍において再度、係合爪部８２ａの突出方向と略一致する方向に延びている。
【００４２】
図３、図４及び図７に示すように、主回路基板７０の第１面７０ａにはコネクタ７１が設けられている。コネクタ７１は、ホルダ配置部７２に近接して設けられ、ＦＰＣ８３の接続端部８３ａが挿入されて接続される。コネクタ７１における接続端部８３ａが挿入される挿入口７１ａは、カメラホルダ８２からＦＰＣ８３が延びる方向（つまり、操作部側筐体２の上端部側から下端部側に向かう方向）に開口している。
【００４３】
図３、図７などに示すように、ＦＰＣ８３の接続端部８３ａは、ＦＰＣ８３が折り返された状態でコネクタ７１の挿入口７１ａに挿入される。折り返された状態のＦＰＣ８３には、折り返し部８３ｂにおいて、折り返された状態を復元する方向に付勢力（反発力）が生じる。そのため、カメラホルダ８２は、この付勢力により、主回路基板７０の第２面７０ｂ側から第１面７０ａ側に付勢された状態で主回路基板７０に取り付けられる。
【００４４】
本実施形態においては、図３から図７に示すように、カメラホルダ８２は、ＦＰＣ８３が主回路基板７０における第１面７０ａ側に接続された状態において、係合爪部８２ａを主回路基板７０の一端部７０ｃにおける第２面７０ｂ側に係合させることにより、主回路基板７０に取り付けられる。
【００４５】
詳細には、図４に示すように、折り返されていない状態のＦＰＣ８３における接続端部８３ａをコネクタ７１に接続し、次に、図３、図７等に示すように、ＦＰＣ８３を折り返して折り返し部８３ｂを形成して、ＦＰＣ８３に主回路基板７０の第２面７０ｂ側から第１面７０ａ側へ向かう方向の付勢力を生じさせる。次いで、カメラホルダ８２を主回路基板７０のホルダ配置部７２に配置させる。そして、カメラホルダ８２の係合爪部８２ａを主回路基板７０の第２面７０ｂ側に係合させる。このようにして、カメラホルダ８２は、主回路基板７０に取り付けられる。
【００４６】
前述した構成を有する本実施形態の携帯電話機１によれば、以下に示す各効果が奏される。
本実施形態の携帯電話機１においては、カメラモジュール８０は、その外面に係合爪部８２ａを備え、ＦＰＣ８３が主回路基板７０における第１面７０ａ側に接続された状態において係合爪部８２ａが主回路基板７０の一端部７０ｃにおける第２面７０ｂ側に係合されることにより、主回路基板７０に取り付けられる。そのため、前述した手順により、カメラモジュール８０を主回路基板７０に移動可能な状態で且つ安定した状態で取り付けることができる。
【００４７】
また、本実施形態の携帯電話機１においては、カメラホルダ８２の外面からの係合爪部８２ａの突出方向と、カメラホルダ８２からのＦＰＣ８３が延びる方向とは略一致している。そのため、係合爪部８２ａとＦＰＣ８３との間で主回路基板７０が安定した状態で挟まれるため、主回路基板７０へのカメラホルダ８２の取り付け状態が安定する。
【００４８】
また、本実施形態の携帯電話機１においては、コネクタ７１の挿入口７１ａは、カメラホルダ８２からＦＰＣ８３が延びる方向に開口しており、ＦＰＣ８３の接続端部８３ａは、ＦＰＣ８３が折り返された状態で挿入口７１ａに挿入されている。そのため、ＦＰＣ８３の接続端部８３ａがＦＰＣ８３のコネクタ７１から外れにくく、延いてはカメラホルダ８２が主回路基板７０に安定的に取り付けられる。
【００４９】
また、本実施形態の携帯電話機１においては、カメラホルダ８２は、折り返されたＦＰＣ８３に生じる付勢力により、主回路基板７０の第２面７０ｂ側から第１面７０ａ側に付勢された状態で主回路基板７０に取り付けられる。そのため、主回路基板７０へのカメラホルダ８２の取り付け性が極めて安定する。
【００５０】
以上、本発明の一実施形態について説明したが、本発明は、前述した実施形態に制限されるものではなく、適宜変更が可能である。
例えば、カメラホルダ８２の係合爪部８２ａが係合される位置は、回路基板（主回路基板７０）の端部であれば、特に制限されない。
【００５１】
コネクタ７１の挿入口７１ａは、カメラホルダ８２からＦＰＣ８３が延びる方向とは反対方向に開口していてもよい。
ＦＰＣ８３の接続端部８３ａは、コネクタ以外の接続手段により主回路基板７０における第１面７０ａ側に接続することができる。
折り返されていない状態のＦＰＣ８３を用いて、カメラホルダ８２を主回路基板７０に取り付けることもできる。
【００５２】
また、カメラモジュール８０は、カメラホルダ８２を有していなくてもよい。その場合には、係合爪部８２ａをカメラモジュール本体８１に直接設ければよい。
また、回路基板に取り付けられる所定のモジュールは、カメラモジュールに限定されるものではなく、例えば、マイクモジュール、スピーカモジュール、赤外線モジュール等の適宜なモジュールでもよい。
【００５３】
前記実施形態においては、主回路基板７０の第１面７０ａが操作部側筐体２の前面２ａ側に位置し、主回路基板７０の第２面７０ｂが操作部側筐体２の背面２ｂ側に位置しているが、これに制限されず、例えば、第１面７０ａが操作部側筐体２の背面２ｂ側に位置し、第２面７０ｂが操作部側筐体２の前面２ａ側に位置していてもよい。
前記実施形態においては、操作部側筐体２の主回路基板７０に本発明に係るカメラホルダ８２の取り付け構造が適用されているが、これに制限されず、操作部側筐体２における他の回路基板や表示部側筐体３における各種回路基板に本発明に係るカメラホルダ８２の取り付け構造を適用することができる。
【００５４】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００５５】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００５６】
【図１】本発明の一実施形態の携帯電話機１を開状態で示す斜視図である。
【図２】図１に示す操作部側筐体２に内蔵される部材の分解斜視図である。
【図３】カメラモジュール８０が取り付けられた主回路基板７０を、第１面７０ａ側から視た部分斜視図である。
【図４】第１面７０ａ側から視た主回路基板７０におけるコネクタ７１と、カメラモジュール８０とを、フレキシブルプリント基板８３を介して接続しようとする状態を示す斜視図である。
【図５】カメラモジュール８０が取り付けられた主回路基板７０を第２面７０ｂ側から視た部分斜視図である。
【図６】（ａ）は、カメラモジュール８０について、フレキシブルプリント基板８３が折り返された状態で示す斜視図であり、（ｂ）は、カメラモジュール８０について、フレキシブルプリント基板８３が折り返されていない状態で示す斜視図である。
【図７】図５に示すＡ−Ａ線断面図である。
【符号の説明】
【００５７】
１  携帯電話機（電子機器）
２  操作部側筐体（筐体）
３  表示部側筐体
４  連結部
７０  主回路基板（回路基板）
７０ａ  第１面
７０ｂ  第２面
７０ｃ  一端部（端部）
７１  コネクタ
７１ａ  挿入口
８０  カメラモジュール（所定のモジュール）
８１  カメラモジュール本体（モジュール本体）
８２  カメラホルダ（ホルダ）
８２ａ  係合爪部
８３  ＦＰＣ（フレキシブルプリント基板）
８３ａ  接続端部
【図１】
2009265185.tif 000003
【図２】
2009265185.tif 000004
【図３】
2009265185.tif 000005
【図４】
2009265185.tif 000006
【図５】
2009265185.tif 000007
【図６】
2009265185.tif 000008
【図７】
2009265185.tif 000009